【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
情報処理装置であって、
データを記憶する第１の記憶手段と、
前記第１の記憶手段に記憶されるデータを暗号化する暗号化手段と、
前記第１の記憶手段に記憶されている暗号化されたデータを復号化する復号化手段と、
前記第１の記憶手段に記憶されるデータの前記第１の記憶手段における記憶位置を示す位置情報を記憶する第２の記憶手段と、
前記第１の記憶手段に記憶されるデータを記憶する第３の記憶手段と、
前記位置情報が示す記憶位置から読み出されて前記復号化手段によって復号化されたデータと、前記第３の記憶手段に記憶されているデータとを比較する比較手段と、
前記比較手段による比較の結果が一致する場合に、前記第１の記憶手段の使用を許可し、前記比較手段による比較の結果が一致しない場合に、前記第１の記憶手段の使用を制限する制御手段と、
を有することを特徴とする情報処理装置。
【請求項２】
前記第３の記憶手段に記憶されるデータは、前記第１の記憶手段の記憶単位で記憶可能なデータ、または当該データの一部のデータのいずれかであることを特徴とする請求項１記載の情報処理装置。
【請求項３】
前記制御手段が有するキーと、前記復号化手段が有するキーとから、データを復号化するためのキーを作成するキー作成手段をさらに有することを特徴とする請求項１記載の情報処理装置。
【請求項４】
前記第２の記憶手段は、前記情報処理装置内の複数の機器のいずれかの機器内に設けることを特徴とする請求項１記載の情報処理装置。
【請求項５】
前記制御手段は、スキャナ部によるスキャナジョブ、プリンタ部によるプリントジョブ、スキャナ部とプリンタ部とのコピージョブ、外部機器から受信するデータ受信ジョブ、外部機器にデータを送信するデータ送信ジョブのいずれかを許可し、或いは制限することを特徴とする請求項１記載の情報処理装置。
【請求項６】
情報処理装置におけるデータ管理方法であって、
第１の記憶手段に記憶されるデータを暗号化する暗号化ステップと、
前記第１の記憶手段に記憶されている暗号化されたデータを復号化する復号化ステップと、
前記第１の記憶手段に記憶されるデータの前記第１の記憶手段における記憶位置を示す位置情報を第２の記憶手段に記憶する位置情報記憶ステップと、
前記第１の記憶手段に記憶されるデータを第３の記憶手段に記憶するデータ記憶ステップと、
前記位置情報が示す記憶位置から読み出されて前記復号化ステップによって復号化されたデータと、前記第３の記憶手段に記憶されているデータとを比較する比較ステップと、
前記比較ステップによる比較の結果が一致する場合に、前記第１の記憶手段の使用を許可し、前記比較ステップによる比較の結果が一致しない場合に、前記第１の記憶手段の使用を制限する制御ステップと、
を有することを特徴とするデータ管理方法。
【請求項７】
前記第２の記憶手段に記憶されるデータは、前記第１の記憶手段の記憶単位で記憶可能なデータ、または当該データの一部のデータのいずれかであることを特徴とする請求項６記載のデータ管理方法。
【請求項８】
前記第２の記憶手段は、前記データ処理装置内の複数の機器のいずれかの機器内に設けることを特徴とする請求項６記載のデータ管理方法。
【請求項９】
前記制御ステップでは、スキャナ部によるスキャナジョブ、プリンタ部によるプリントジョブ、スキャナ部とプリンタ部とのコピージョブ、外部機器から受信するデータ受信ジョブ、外部機器にデータを送信するデータ送信ジョブのいずれかを許可し、制限することを特徴とする請求項６記載のデータ管理方法。
【請求項１０】
請求項６〜９のいずれかに記載のデータ管理方法を、前記情報処理装置のコンピュータに実行させるためのプログラムを格納したことを特徴とするコンピュータが読み取り可能な記憶媒体。
【請求項１１】
請求項６〜９のいずれかに記載のデータ管理方法を、前記情報処理装置のコンピュータに実行させることを特徴とするプログラム。
【手続補正２】
【補正対象書類名】明細書
【補正対象項目名】発明の名称
【補正方法】変更
【補正の内容】
【発明の名称】情報処理装置およびデータ管理方法およびコンピュータが読み取り可能なプログラムを格納した記憶媒体およびプログラム
【手続補正３】
【補正対象書類名】明細書
【補正対象項目名】０００１
【補正方法】変更
【補正の内容】
【０００１】
本発明は、データ処理装置と通信して所定のジョブを処理可能な情報処理装置およびデータ管理方法およびコンピュータが読み取り可能なプログラムを格納した記憶媒体およびプログラムに関するものである。
【手続補正４】
【補正対象書類名】明細書
【補正対象項目名】０００７
【補正方法】変更
【補正の内容】
【０００７】
上述したように、ハードディスクに格納される全てのデータを暗号化することにより、ハードディスクが窃取された場合においても、データの安全性は保証することが可能となる。しかし、このような構成においてもハードディスクと暗号化回路の双方を窃取されればデータの安全性は保証されているとは言えない。
【手続補正５】
【補正対象書類名】明細書
【補正対象項目名】０００８
【補正方法】変更
【補正の内容】
【０００８】
本発明は、上記の課題を解決するためになされたもので、本発明の目的は、第１の記憶手段に記憶されるデータの第１の記憶手段における記憶位置を示す位置情報を第２の記憶手段に記憶し、当該位置情報が示す記憶位置からのデータを読み出し、該読み出されて復号化されたデータと、第３の記憶手段に記憶されているデータとを比較し、比較の結果が一致する場合に第１の記憶手段の使用を許可し、比較の結果が一致しない場合に第１の記憶手段の使用を制限することにより、第１の記憶手段またはそのコントローラが情報処理装置本体から着脱等されて、他の情報処理装置に装着されても、該第１の記憶手段に記憶されている情報が漏洩してしまう事態を確実に阻止できるとともに、データを保存処理に関連する複数のデバイスの組み合わせが正常である情報処理装置であるか否かを判断できる情報処理装置およびデータ管理方法およびコンピュータが読み取り可能なプログラムを格納した記憶媒体およびプログラムを提供することである。
【手続補正６】
【補正対象書類名】明細書
【補正対象項目名】０００９
【補正方法】変更
【補正の内容】
【０００９】
上記目的を達成する本発明の情報処理装置は以下に示す構成を備える。
【手続補正７】
【補正対象書類名】明細書
【補正対象項目名】００１０
【補正方法】変更
【補正の内容】
【００１０】
情報処理装置であって、データを記憶する第１の記憶手段と、第１の記憶手段に記憶されるデータを暗号化する暗号化手段と、第１の記憶手段に記憶されている暗号化されたデータを復号化する復号化手段と、第１の記憶手段に記憶されるデータの第１の記憶手段における記憶位置を示す位置情報を記憶する第２の記憶手段と、第１の記憶手段に記憶されるデータを記憶する第３の記憶手段と、位置情報が示す記憶位置から読み出されて復号化手段によって復号化されたデータと、第３の記憶手段に記憶されているデータとを比較する比較手段と、比較手段による比較の結果が一致する場合に、第１の記憶手段の使用を許可し、比較手段による比較の結果が一致しない場合に、第１の記憶手段の使用を制限する制御手段とを有することを特徴とする。
【手続補正８】
【補正対象書類名】明細書
【補正対象項目名】００１１
【補正方法】変更
【補正の内容】
【００１１】
上記目的を達成する本発明のデータ管理方法は以下に示す構成を備える。 
とを有することを特徴とする。
【手続補正９】
【補正対象書類名】明細書
【補正対象項目名】００１２
【補正方法】変更
【補正の内容】
【００１２】
情報処理装置におけるデータ管理方法であって、第１の記憶手段に記憶されるデータを暗号化する暗号化ステップと、第１の記憶手段に記憶されている暗号化されたデータを復号化する復号化ステップと、第１の記憶手段に記憶されるデータの第１の記憶手段における記憶位置を示す位置情報を第２の記憶手段に記憶する位置情報記憶ステップと、第１の記憶手段に記憶されるデータを第３の記憶手段に記憶するデータ記憶ステップと、位置情報が示す記憶位置から読み出されて復号化ステップによって復号化されたデータと、第３の記憶手段に記憶されているデータとを比較する比較ステップと、比較ステップによる比較の結果が一致する場合に、第１の記憶手段の使用を許可し、比較ステップによる比較の結果が一致しない場合に、第１の記憶手段の使用を制限する制御ステップと、を有することを特徴とする。
【手続補正１０】
【補正対象書類名】明細書
【補正対象項目名】００１３
【補正方法】変更
【補正の内容】
【００１３】
本発明によれば、第１の記憶手段またはそのコントローラが情報処理装置本体から着脱等されて、他の情報処理装置に装着されても、第１の記憶手段に記憶されている情報が漏洩してしまう事態を確実に阻止できるとともに、データの保存処理に関連する複数のデバイスの組み合わせが正常である情報処理装置であるか否かを判断できる。
【手続補正１１】
【補正対象書類名】明細書
【補正対象項目名】００１４
【補正方法】変更
【補正の内容】
【００１４】
また、第１の記憶手段、暗号化・復号化処理を行う手段、制御手段が取り替えられたりした事を検知する事を可能とし、その組み合わせに異常が検知された際にはジョブ処理動作を変更することにより、システムを構成する各機器の組み合わせの変更を防止する事や、第１の記憶手段に蓄積されているデータの安全性を保証する事を可能とする。